(57)【要約】【課題】利用者の意図した媒体に対して処理を行うことができる駅務システム、自動改札機、および駅務機器を提供することである。【解決手段】実施形態の駅務システムは、駅務機器と、読取部と、改札処理部とを有する自動改札機とを持つ。駅務機器は、媒体に対して所定のフラグを付与する。読取部は、媒体から情報を読取る。改札処理部は、前記読取部により読取られた情報に基づいて改札処理を実行する改札処理部であって、前記読取部により複数の媒体から情報が読み取られた場合、前記駅務機器により付与された所定のフラグが設定された媒体に対して、前記改札処理を実行する。【選択図】図１
2018045627.tif 000002
【特許請求の範囲】
【請求項１】
媒体に対して所定のフラグを付与する駅務機器と、
媒体から情報を読取る読取部、および
前記読取部により読取られた情報に基づいて改札処理を実行する改札処理部であって、前記読取部により複数の媒体から情報が読み取られた場合、前記駅務機器により付与された所定のフラグが設定された媒体に対して、前記改札処理を実行する前記改札処理部、
を有する自動改札機と、
を備える駅務システム。
【請求項２】
前記改札処理部は、複数の前記所定のフラグが設定された媒体から前記読取部が情報を読み取った場合、所定のエラー処理を実行する、
請求項１記載の駅務システム。
【請求項３】
前記駅務機器は、前記媒体に前記所定のフラグを電磁的手法により書き込むことにより、前記所定のフラグを前記媒体に付与し、
前記読取部は、前記媒体から前記所定のフラグの情報を電磁的手法により読取り、
前記改札処理部は、前記読取部により複数の媒体から情報が読み取られた場合、前記読取部により所定のフラグの情報が読み取られた媒体に対して、前記改札処理を実行する、
請求項１または請求項２記載の駅務システム。
【請求項４】
前記駅務機器は、記憶部に、前記媒体の識別情報と所定のフラグとを対応付けて記憶させることにより、前記所定のフラグを前記媒体に付与し、
前記読取部は、媒体から媒体の識別情報を読取り、
前記改札処理部は、前記読取部により複数の媒体から情報が読み取られた場合、前記記憶部を参照し、前記読取部により読取られた媒体の識別情報に対して、前記所定のフラグが対応付けられている媒体に対して、前記改札処理を実行する、
請求項１から３のうちいずれか１項記載の駅務システム。
【請求項５】
前記駅務機器は、更に、媒体の識別情報を取得し、情報を受け付ける受付部に対する入力操作によって設定された情報と、前記取得した媒体の識別情報とを対応付けて、記憶部に記憶させ、
前記読取部は、前記所定のフラグが設定された媒体から媒体の識別情報を読取り、
前記改札処理部は、前記読取部により読取られた媒体の識別情報に基づいて、前記媒体の識別情報に対応付けられた利用者の入力操作によって設定された情報を、前記記憶部から取得し、前記取得した利用者の入力操作によって設定された情報に基づく情報を表示部に表示させる、
請求項１から４のうちいずれか１項記載の駅務システム。
【請求項６】
媒体から情報を読取る読取部、および
前記読取部により読取られた情報に基づいて改札処理を実行する改札処理部であって、前記読取部により複数の媒体から情報が読み取られた場合、駅務機器により付与された所定のフラグが設定された媒体に対して、前記改札処理を実行する前記改札処理部、
を有する自動改札機。
【請求項７】
媒体と通信する通信部と、
前記通信部と通信する通信機能を有する媒体に対して所定のフラグを付与する付与部であって、前記所定のフラグが付与されていない媒体に比して、優先的に自動改札機に改札処理を実行させることを示す前記所定のフラグを前記媒体に付与する付与部と、
を備える駅務機器。
【発明の詳細な説明】
【技術分野】
【０００１】
本発明の実施形態は、駅務システム、自動改札機、および駅務機器に関する。
【背景技術】
【０００２】
近年、無線通信機能を有する媒体と非接触で通信し、通信により取得した情報に基づいて、改札処理を行う自動改札機がある。また、この種の自動改札機において、複数の媒体が翳された場合に、予め自動改札機に対して設定された優先条件に基づいて、処理対象の媒体を選択するものが知られている。しかしながら、上述した処理では、利用者が意図した媒体とは異なる媒体に対して改札処理が実行されてしまう場合があった。
【先行技術文献】
【特許文献】
【０００３】
【特許文献１】特開２００６−１９５６５３号公報
【発明の概要】
【発明が解決しようとする課題】
【０００４】
本発明が解決しようとする課題は、利用者の意図した媒体に対して処理を行うことができる駅務システム、自動改札機、および駅務機器を提供することである。
【課題を解決するための手段】
【０００５】
実施形態の駅務システムは、駅務機器と、読取部と、改札処理部とを有する自動改札機とを持つ。駅務機器は、媒体に対して所定のフラグを付与する。読取部は、媒体から情報を読取る。改札処理部は、前記読取部により読取られた情報に基づいて改札処理を実行する改札処理部であって、前記読取部により複数の媒体から情報が読み取られた場合、前記駅務機器により付与された所定のフラグが設定された媒体に対して、前記改札処理を実行する。
【図面の簡単な説明】
【０００６】
【図１】駅務システム１の構成図。
【図２】媒体Ｍの一例を示す図。
【図３】券売機３０の機能構成図。
【図４】自動改札機１００の外観構成図。
【図５】制御装置１５０の機能構成図。
【図６】管理サーバ２００の機能構成図。
【図７】券売機３０により実行される処理の流れを示すフローチャート。
【図８】設定画面の一例を示す図。
【図９】設定画面の別の一例を示す図。
【図１０】表示情報１６４（サーバ側表示情報２２２）の一例を示す図。
【図１１】自動改札機１００により実行される処理の流れを示すフローチャート。
【図１２】自動改札機１００を上方から見た図。
【図１３】媒体設定情報１６６（２２４）の一例を示す図。
【図１４】第２の実施形態の券売機３０と管理サーバ２００とにより実行される処理の流れを示すフローチャート。
【図１５】自動改札機１００により実行される処理の流れを示すフローチャート。
【図１６】自動改札機１００により実行される処理の流れを示すフローチャート。
【発明を実施するための形態】
【０００７】
以下、実施形態の駅務システム、自動改札機、および駅務機器を、図面を参照して説明する。
【０００８】
（第１の実施形態）
図１は、駅務システム１の構成図である。駅務システム１は、例えばＡ駅システム１０Ａと、Ｂ駅システム１０Ｂと、管理サーバ２００とを備える。Ａ駅システム１０Ａと、Ｂ駅システム１０Ｂと、管理サーバ２００とは、ＷＡＮ（Wide Area Network）や、ＬＡＮ（Local Area Network）、セルラー通信網、インターネット等を含むネットワークＮＷを介して互いに通信する。
【０００９】
Ａ駅システム１０Ａは、例えば駅サーバ２０Ａと、券売機３０Ａと、自動改札機１００Ａとを備える。また、Ｂ駅システム１０Ｂも同様に、駅サーバ２０Ｂと、券売機３０Ｂと、自動改札機１００Ｂとを備える。本実施形態では、一例としてＡ駅システム１０ＡとＢ駅システム１０Ｂとについて示しているが、Ａ駅システム１０ＡおよびＢ駅システム１０Ｂを備える駅以外の駅においても同様の駅システムが構築されてよい。以下、Ａ駅システム１０ＡとＢ駅システム１０Ｂとを区別しない場合は、単に駅システム１０と表記する。また、駅システム１０が備える機能構成についても同様に、駅を区別する符号「Ａ」、「Ｂ」を省略して説明する。また、駅システム１０は、複数の券売機３０、複数の自動改札機１００を備えてもよい。
【００１０】
駅サーバ２０は、券売機３０および自動改札機１００を制御する。また、駅サーバ２０は、ネットワークＮＷを介して管理サーバ２００から取得した情報を、専用線を介して券売機３０、および自動改札機１００に送信したり、券売機３０、および自動改札機１００から専用線を介して取得した情報を、ネットワークＮＷを介して管理サーバ２００へ送信したりする。
【００１１】
［媒体］
ここで、本実施形態の駅務システム１において、利用される媒体Ｍについて説明する。
図２は、媒体Ｍの一例を示す図である。媒体Ｍは、無線通信機能を有する媒体である。
媒体Ｍは、例えば、基材１１と、チップ１２と、アンテナ１８とを備える。チップ１２は、例えば、基材１１に漉き込まれたパッシブタイプのＩＣ（Integrated Circuit）チップである。チップ１２は、ＲＦＩＤ（Radio Frequency IDentifier）技術によって、券売機３０または自動改札機１００のリーダライタとの間で情報を送受信する。チップ１２は、券売機３０または自動改札機１００により送信されたコマンド（信号）に応答して情報を送信する、コマンドレスポンス方式に基づいて処理を実行する。チップ１２は、例えば、送受信部１４、制御回路１５、記憶部１６などを備える。送受信部１４は、券売機３０または自動改札機１００により送信された電波に含まれる情報を復調したり、情報を重畳するための電波を生成し、生成した電波に情報を重畳したりする。
【００１２】
制御回路１５は、例えば、ＣＰＵ（Central Processing Unit）等のプロセッサである。制御回路１５は、券売機３０または自動改札機１００により送信されたコマンドの内容に応じて、記憶部１６に情報を書き込んだり、記憶部１６に書き込まれた情報を読み出したりする。また、制御回路１５は、記憶部１６に記憶された情報を読み出し、送受信部１４およびアンテナ１８を用いて、読み出した情報を券売機３０または自動改札機１００に送信する。
【００１３】
記憶部１６には、制御回路１５により実行されるプログラムや、媒体ＩＤ、効力情報、電子マネーのチャージ金額（入金金額）、優先フラグ、利用者が通過した駅の情報（例えば入場駅）等がエンコードされて記憶されている。効力情報とは、例えば、利用者が利用することができる鉄道の利用区間（例えば○○駅から××駅まで）、利用可能な期間（例えば発行日当日のみ有効）などの情報である。優先フラグとは、他の媒体よりも優先的に処理が行われるべき媒体であることを示すフラグである。優先フラグは、「所定のフラグ」の一例である。
【００１４】
［券売機］
図３は、券売機３０の機能構成図である。券売機３０は、「駅務機器」の一例である。券売機３０は、例えば、タッチパネル部３２と、金銭投入口３６と、媒体挿入排出口３８と、乗車券排出口４０と、検銭部４２と、読取書込部４４と、媒体処理部４６と、乗車券発行部４８と、券売機側制御部６０と、通信部６６と、券売機側記憶部７０とを備える。
【００１５】
タッチパネル部３２は、受付部３３と、表示部３４とが一体として形成された、いわゆるタッチパネルである。受付部３３は、利用者の入力操作を受け付ける。なお、受付部３３は、例えば、ボタン、キーボード、マウス、マイク等のユーザインターフェースであってもよい。
【００１６】
表示部３４は、例えば、ＬＣＤ（Liquid Crystal Display）や有機ＥＬ（Electroluminescence）ディスプレイなどの表示装置を含む。表示部３４は、券売機側制御部６０によって出力される情報に基づいて、所定の画像を表示する。
【００１７】
検銭部４２は、金銭投入口３６に投入された金銭を計数し、計数結果を券売機側制御部６０に出力する。
【００１８】
読取書込部４４は、通信部とアンテナとを有する。読取書込部４４は、媒体処理部４６の制御に基づいて、媒体挿入排出口３８に投入された媒体Ｍと、読取書込部４４の通信部とが、アンテナを介して通信することにより、媒体Ｍの記憶部１６に記憶された情報を読取る。また、読取書込部４４は、媒体処理部４６の制御に基づいて、媒体挿入排出口３８に投入された媒体Ｍと通信することにより、媒体Ｍの記憶部１６に情報を書き込む。
【００１９】
媒体処理部４６は、読取書込部４４を制御する。媒体処理部４６は、読取書込部４４により読取られた情報をデコードし、電子情報を取得する。そして、媒体処理部４６は、取得した情報を券売機側制御部６０に出力する。媒体処理部４６は、券売機側制御部６０の制御に基づいて、読取書込部４４を介して、媒体挿入排出口３８に投入された媒体Ｍに対して情報をエンコードして書き込む。
【００２０】
乗車券発行部４８は、券売機側制御部６０の制御に基づいて、不図示の格納部に格納された磁気券の磁気ストライプに情報を記憶させ、乗車券排出口４０から磁気券を排出させる。
【００２１】
券売機側制御部６０は、例えば、券売機側表示制御部６２と、発行制御部６４とを備える。券売機側表示制御部６２は、所定の情報を表示部３４に表示させる。発行制御部６４は、受付部３３に対する入力操作に基づいて、処理を実行する。発行制御部６４は、例えば、利用者が乗車券を購入するための入力操作を受付部３３に対して行った場合、利用の入力操作に基づいて、入場駅から出場駅までの料金を利用者に求める。そして、発行制御部６４は、利用者により金銭投入口３６に投入された金銭が入場駅から出場駅までの料金を満たすか否かを判定する。発行制御部６４は、投入された金銭が料金を満たす場合、乗車券発行部４８に乗車券を発行させる。
【００２２】
また、発行制御部６４は、媒体Ｍが媒体挿入排出口３８に挿入され、利用者が媒体Ｍに電子マネーをチャージするための入力操作を行った場合、利用の入力操作に基づいて、金銭投入口３６にチャージ金額の投入を促す画像を表示部３４に表示させる。発行制御部６４は、利用者により金銭投入口３６に金銭が投入された場合、投入された金銭に相当する金額を媒体Ｍの記憶部１６に記憶させる。
【００２３】
通信部６６は、駅サーバ２０を介して、他装置と通信する。券売機側記憶部７０は、プロセッサが実行するプログラムを格納する他、各駅間の運賃が記憶された券売機側運賃テーブル７２を格納する。なお、券売機３０が実行する処理の詳細については後述する。
【００２４】
［自動改札機］
図４は、自動改札機１００の外観構成図である。自動改札機１００は、例えば、第１表示部１１０と、第２表示部１１２と、扉部１２０と、リーダライタ１３０と、通過センサ１３６−１から１３６−５とを備える。自動改札機１００は、図中、Ａ方向への利用者の通過を制御する。第１表示部１１０および第２表示部１１２は、各種情報（詳細は後述）を表示する。扉部１２０は、媒体Ｍに対して行われた処理の結果に応じて開放状態または閉止状態に制御される。
【００２５】
リーダライタ１３０は、例えば、アンテナ１３２と、通信部１３４とを備える。通信部１３４は、コントローラや、変調部、復調部等を備える。コントローラは、変調部および復調部を制御する。変調部は、コマンドを所定の周波数帯を有する電波に重畳させて、その電波をアンテナ１３２に発信させる。また、復調部は、アンテナ１３２を介して取得した電波に含まれる情報を復調し、復調した情報（コマンド）を後述する制御装置１５０に出力する。リーダライタ１３０は、「読取部」の一例である。
【００２６】
通過センサ１３６−１から１３６−５は、例えば自動改札機１００の通路側の側面に複数設けられる。なお、図示する例では、通過センサが５つ設けられた自動改札機１００を示している。以下、通過センサ１３６−１から１３６−５を、区別しない場合は、「通過センサ１３６」と称する。複数の通過センサ１３６は、自動改札機１００により形成された通路内の利用者を検出する。通過センサ１３６は、例えば赤外線センサや、光センサなどで実現される。通過センサ１３６は、対向する補機に設けられた通過センサと連携して通路内の利用者を検出するものであってもよい。
【００２７】
なお、本実施形態では、自動改札機は、無線通信機能を有する媒体Ｍと非接触で通信して、利用者の入出場するものとして説明するが、磁気券に記憶された情報、バーコードや二次元コード（例えばＱＲコード（登録商標））等のコード券にエンコード（符号化）された情報に基づいて、利用者の入出場を制御する機能を有していしてもよい。
【００２８】
また、自動改札機１００は、上述した機能に加え、更に、通信部１３８と、制御装置１５０とを備える。通信部１３８は、駅サーバ２０を介して、管理サーバ２００と通信するための通信インターフェースである。図５は、制御装置１５０の機能構成図である。制御装置１５０は、例えば、制御部１５２と、判定部１５４と、通過制御部１５６と、改札機側記憶部１６０とを備える。
【００２９】
制御部１５２、判定部１５４、および通過制御部１５６は、例えば、ＣＰＵ等のプロセッサがプログラムを実行することで実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアで実現されてもよい。
【００３０】
改札機側記憶部１６０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。改札機側記憶部１６０は、プロセッサが実行するプログラムや、各駅間（または利用距離ごと）の料金が記憶された料金テーブル１６２を格納する他、自機が設置された駅の識別情報や、自機の識別情報、各駅間の距離等を格納する。また、改札機側記憶部１６０は、後述する表示情報１６４が記憶されている。改札機側記憶部１６０は、「記憶部」の一例である。
【００３１】
制御部１５２は、リーダライタ１３０により複数の媒体Ｍから読み取られた情報をデコードし、電子情報を取得する。そして、制御部１５２は、複数の媒体Ｍから情報が読取られた場合、券売機３０により付与された優先フラグが設定された媒体Ｍを抽出する。制御部１５２は、複数の優先フラグが設定された媒体Ｍからリーダライタ１３０が情報を読み取った場合、通過制御部１５６に後述する所定のエラー処理を実行させる。制御部１５２は、媒体Ｍに対する制御装置１５０の処理結果（例えば入場駅や出場駅の情報）をエンコードして、リーダライタ１３０を介して媒体Ｍの記憶部１６に記憶させる。制御部１５２の処理の詳細については後述する。
【００３２】
判定部１５４は、制御部１５２に抽出された媒体Ｍであって、リーダライタ１３０により、その媒体Ｍから取得された情報に基づいて、利用者について、自動改札機１００の通過可否を判定する。判定部１５４は、例えば、媒体Ｍから取得した効力情報、或いは効力情報と入場駅などの情報である通過情報と、当該駅とを比較して、効力情報が示す区間に当該駅が収まっている場合、利用者の自動改札機１００の通過を許可し、効力情報が示す区間に当該駅が収まっていない場合、利用者の自動改札機１００の通過を不許可とする。制御部１５２および判定部１５４は、「改札処理部」の一例である。
【００３３】
通過制御部１５６は、判定部１５４の判定結果に基づいて、利用者の通過を許可、または禁止する制御を実行する。利用者の通過を禁止する制御をする場合、通過制御部１５６は、扉部１２０を閉止状態にさせたり、第１表示部１１０に通過の禁止を示す情報を表示させたりする。利用者の通過を許可する制御を行う場合、通過制御部１５６は、扉部１２０を開放状態にさせたり、第１表示部１１０に通過の許可を示す情報を表示させたりする。
【００３４】
通過制御部１５６は、制御部１５２によりエラー処理が実行された場合、エラー処理として、扉部１２０を閉止状態にさせたり、第１表示部１１０にエラー処理に関する情報を表示させたりする。エラー処理に関する情報とは、例えば、複数の無線通信機能を有する媒体Ｍが重ねられた状態で、リーダライタ１３０に翳されたことを示す情報である。また、自動改札機１００は、判定部１５４の判定結果に応じて、所定の音声を出力する音声出力部（不図示）を備えてもよい。
【００３５】
図６は、管理サーバ２００の機能構成図である。管理サーバ２００は、例えば、制御部２１０と、サーバ側記憶部２２０と、通信部２３０とを備える。制御部２１０は、通信部２３０が駅システム１０から取得した情報をサーバ側記憶部２２０に記憶させる。サーバ側記憶部２２０には、駅サーバ２０から送信された情報や、ネットワークＮＷに接続された他の端末装置から取得した情報および他の端末装置から送信された情報などが記憶される。サーバ側記憶部２２０は、「記憶部」の他の一例である。通信部１３８は、ネットワークＮＷを介して、駅サーバ２０と通信する。
【００３６】
［処理フロー］
図７は、券売機３０により実行される処理の流れを示すフローチャートである。まず、券売機３０は、媒体Ｍが券売機３０の内部に挿入されるまで待機する（ステップＳ１００）。次に、券売機３０は、媒体Ｍを券売機３０の内部に取り込む（ステップＳ１０２）。例えば、券売機３０は、媒体挿入排出口３８に媒体が挿入されると、媒体Ｍを検知する検知センサ（不図示）を有する。券売機３０は、検知センサにより媒体Ｍが検知されると、媒体搬送機構（不図示）を駆動させ、媒体Ｍを券売機３０の内部に取り込む。媒体Ｍが券売機３０の内部に取り込まれると、読取書込部４４が、媒体Ｍの記憶部１６に記憶された媒体ＩＤを読取る（ステップＳ１０４）。
【００３７】
次に、券売機側表示制御部６２は、優先フラグを設定するための選択画面を表示部３４に表示させる（ステップＳ１０６）。次に、券売機側表示制御部６２は、優先フラグの設定について、利用者によって受付部３３に対して入力操作が実行されたか否かを判定する（ステップＳ１０８）。
【００３８】
優先フラグの設定について、入力操作が実行された場合、媒体処理部４６は、読取書込部４４に、媒体Ｍに対して優先フラグを設定させる（ステップＳ１１０）。例えば、媒体Ｍの記憶部１６の予め定められた記憶領域に所定の情報が記憶されることにより、優先フラグが設定（付与）される。媒体処理部４６は、「付与部」の一例である。
【００３９】
次に、券売機側表示制御部６２が、改札処理時に表示させる情報を設定するか否かを問い合わせる問合せ画像を表示部３４に表示させ、利用者によって改札処理時に表示させる情報を設定することについて、受付部３３に対して入力操作が実行されたか否かを判定する（ステップＳ１１２）。改札処理時に表示させる情報を設定することについて入力操作が実行されなかった場合、ステップＳ１２０の処理に進む。
【００４０】
改札処理時に表示させる情報を設定することについて入力操作が実行された場合、券売機側表示制御部６２が、改札処理時に表示させる情報の設定画面ＩＭを表示部３４に表示させる（ステップＳ１１４）。図８は、設定画面の一例を示す図である。設定画面ＩＭには、第２表示部１１２に表示される情報が示される領域Ａ１、第２表示部１１２に表示される情報を簡易に設定するための画面を表示させるための簡易設定ボタンＢ１、および第２表示部１１２に表示される情報を詳細に設定するための画面を表示させるための詳細設定ボタンＢ２を含む。
【００４１】
設定画面ＩＭは、利用者によって簡易設定ボタンＢ１に対して入力操作された場合に表示部３４に表示される画像である。この設定画面ＩＭには、媒体Ｍの発行事業者を表示するか否かを設定するためのボタンＢ３、媒体ＩＤを表示するか否かを設定するためのボタンＢ４、およびチャージ金額の残高を表示するか否かを設定するためのボタンＢ５が含まれる。例えば、利用者は、ボタンＢ４〜Ｂ５に対する入力操作を実行することにより、第２表示部１１２に表示させる情報を設定する。例えば、媒体Ｍの発行事業者を示す情報は、媒体Ｍの記憶部１６にビット列として記憶されている。駅務システム１が含む駅務機器（例えば自動改札機１００、管理サーバ２００）は、発行事業者を示す情報（ビット列）から発行事業者を特定するための特定情報を参照し、媒体Ｍの記憶部１６に記憶された情報から発行事業者を特定することができる。このように特定することで、自動改札機１００の第１表示部１１２には媒体Ｍの発行事業者の情報が表示される。また、設定画面ＩＭには、言語選択ボタンが含まれてもよい。利用者は、言語選択ボタンに対して入力操作を実行することによって、設定画面ＩＭに表示される言語を選択した言語に切り替えることができる。
【００４２】
図９は、設定画面の別の一例を示す図である。設定画面ＩＭ１は、利用者によって詳細設定ボタンＢ２に対して入力操作された場合に表示部３４に表示される画像である。この設定画面ＩＭ１には、ボタンＢ３からＢ５に加え、更に第２表示部１１２に表示される追加の情報を設定するための設定ボタンＢ６およびＢ７が含まれる。設定ボタンＢ６は、例えば、媒体Ｍのカード名を第２表示部１１２に表示させることを設定するための設定ボタンである。設定ボタンＢ７は、例えば、任意の情報を第２表示部１１２に表示させることを設定するための設定ボタンである。例えば、設定ボタンＢ６またはＢ７に対して入力操作がされると、設定画面ＩＭ１には、文字入力をするための文字入力画面が表示される。利用者は、文字入力画面において、文字を選択することによって、第２表示部１１２に表示させる情報を設定する。
【００４３】
次に、発行制御部６４が、利用者の入力操作によって設定された改札処理時に表示させる情報を媒体ＩＤに対応付けて一時的に券売機側記憶部７０に記憶させ（ステップＳ１１６）、記憶させた情報を管理サーバ２００に送信する（ステップＳ１１８）。そして、券売機３０は、媒体搬送機構を駆動させ、内部に取り込んでいる媒体Ｍを券売機３０の媒体挿入排出口３８から排出させる（ステップＳ１２０）。これにより本フローチャートの１ルーチンの処理は終了する。
【００４４】
上述した処理によって、媒体Ｍには優先フラグが設定される。また、管理サーバ２００は、媒体ＩＤに対応付けられた改札処理時に表示させる情報を取得し、取得した情報をサーバ側表示情報２２２としてサーバ側記憶部２２０に記憶させ、記憶させたサーバ側表示情報２２２を駅サーバ２０に送信する。そして、駅サーバ２０は、管理サーバ装置２００からサーバ側表示情報２２２を取得し、取得したサーバ側表示情報２２２を自動改札機１００に送信する。これにより、自動改札機１００は、サーバ側表示情報２２２を取得し、取得した情報を表示情報１６４として改札機側記憶部１６０に記憶させる。図１０は、表示情報１６４（サーバ側表示情報２２２）の一例を示す図である。表示情報１６４は、媒体ＩＤごとに、自動改札機１００の第２表示部１１２に表示させる情報が対応付けられた情報である。
【００４５】
図１１は、自動改札機１００により実行される処理の流れを示すフローチャートである。まず、自動改札機１００が、リーダライタ１３０に媒体Ｍが翳されるまで待機する（ステップＳ２００）。例えば、自動改札機１００は、媒体Ｍと通信部１３４が通信することによって、媒体Ｍがリーダライタ１３０に翳されたことを検知する。
【００４６】
媒体Ｍがリーダライタ１３０に翳された場合、制御部１５２は、複数枚の媒体Ｍが通信部１３４によって検知されたか判定する（ステップＳ２０２）。複数枚の媒体Ｍが検知されなかった場合（媒体Ｍが１枚検知された場合）、リーダライタ１３０は、媒体Ｍに記憶された媒体ＩＤおよび効力情報を取得し（ステップＳ２０４）、ステップＳ２１０に進む。
【００４７】
複数枚の媒体Ｍが検知された場合、制御部１５２が、リーダライタ１３０と媒体Ｍとの通信結果に基づいて、優先フラグが設定されている媒体Ｍが１枚存在するか否かを判定する（ステップＳ２０６）。複数枚の媒体Ｍが検知されたとは、例えば、自動改札機１００が設置された駅等の施設で利用されている複数の媒体Ｍが検知されたことである。自動改札機１００は、媒体Ｍとリーダライタ１３０が通信することにより、複数の媒体Ｍから駅等の施設で利用されている媒体Ｍであることを示す情報を取得した場合（複数の媒体から情報が読取られた場合）、複数枚の媒体Ｍを検知したと判定する。優先フラグが設定されている媒体Ｍが存在しない場合、或いは複数枚の媒体Ｍに優先フラグが設定されている場合、ステップＳ２１４に進む。
【００４８】
優先フラグが設定されている媒体Ｍが１枚存在する場合、制御部１５２は、優先フラグが設定されている媒体Ｍから媒体ＩＤおよび効力情報を取得する（ステップＳ２０８）。
【００４９】
次に、判定部１５４が、ステップＳ２０４またはステップＳ２０８で取得した効力情報に基づいて、利用者が自動改札機１００を通過できるか否かを判定する（ステップＳ２１０）。利用者が自動改札機１００を通過できる場合、通過制御部１５６が、扉を開放状態にして利用者の通過を許可する（ステップＳ２１２）。利用者が自動改札機１００を通過できない場合、通過制御部１５６が、扉を閉止状態にして利用者の通過を不許可する（ステップＳ２１４）。
【００５０】
次に、制御部１５２が、改札機側記憶部１６０に記憶された表示情報１６４を参照して、媒体Ｍの媒体ＩＤに対して表示情報１６４が記憶されているか否かを判定する（ステップＳ２１６）。
【００５１】
媒体Ｍの媒体ＩＤに対して表示情報１６４が記憶さている場合、制御部１５２は、その表示情報１６４に基づく情報を第２表示部１１２に表示させる（ステップＳ２１８）。媒体Ｍの媒体ＩＤに対して表示情報１６４が記憶さていない場合、あるいはステップＳ２１４の処理後に、本フローチャートの１ルーチンの処理は終了する。
【００５２】
図１２は、自動改札機１００を上方から見た図である。図示するように、第１表示部１１０および第２表示部１１２には、改札処理に関する各種情報が表示される。例えば、利用者の通行が許可された場合、第１表示部１１０に通行が許可されたことを示す情報が表示され、第２表示部１１２には、上述した設定画面ＩＭまたはＩＭ１で設定された情報として、媒体Ｍの発行事業者、チャージ残高、および利用者により設定された媒体名が表示される。このように第２表示部１１２に媒体Ｍの発行事業者や、利用者により設定された情報が表示されることにより、利用者は、自動改札機１００を通過する際に、改札処理が行われた媒体Ｍを認識することができる。
【００５３】
なお、上述した処理によって設定された優先フラグ、または表示情報は、利用者が券売機３０に媒体Ｍを挿入した後に、券売機３０に対して所定の入力操作をすることによって、取り消されたり、変更されたりする。この場合、券売機３０は、利用者の入力操作に基づいて、媒体Ｍの記憶部１６に記憶されている優先フラグを取り消す。また、券売機３０は、利用者の入力操作に基づいて、媒体Ｍの媒体ＩＤに対応付けられた表示情報を取り消すことを示す情報を管理サーバ２００および自動改札機１００に送信する。これにより、サーバ側記憶部２２０、または改札機側記憶部１６０に記憶されている媒体ＩＤに対応付けられた表示情報が取り消される。
【００５４】
以上説明した第１の実施形態によれば、券売機３０は、媒体Ｍに対して優先フラグを設定し、自動改札機１００は、リーダライタ１３０により複数の媒体Ｍから情報が読み取られた場合、券売機３０により付与された優先フラグが設定された媒体Ｍに対して、改札処理を実行することにより、利用者の意図した媒体Ｍに対して処理を行うことができる。
【００５５】
（第２の実施形態）
以下、第２の実施形態に駅務システム１について説明する。第１の実施形態における駅務システム１では、媒体Ｍの記憶部１６に優先フラグを設定するものとして説明した。これに対して、第２の実施形態の駅務システム１は、管理サーバ２００を介して、自動改札機１００の改札機側記憶部１６０に優先フラグを設定することにより媒体Ｍに優先フラグを付与する。また、第２の実施形態の自動改札機１００の制御部１５２は、複数の媒体Ｍがリーダライタ１３０に翳された場合、改札機側記憶部１６０に記憶されている情報を参照して、媒体Ｍに優先フラグが設定されているか否かを判定する。以下では、係る相違点を中心に説明し、共通する部分についての説明は省略する。
【００５６】
第２の実施形態の券売機３０の発行制御部６４は、利用者の入力操作によって媒体Ｍによって設定された優先フラグと、改札処理時に表示させる情報とを媒体ＩＤに対応付けて、管理サーバ２００に送信する。管理サーバ２００の制御部２１０は、券売機３０により送信された媒体ＩＤに対応付けられた優先フラグと、改札処理時に表示させる情報とを、媒体設定情報２２４としてサーバ側記憶部２２０に記憶させる。管理サーバ２００は、媒体設定情報２２４を自動改札機１００に送信する。自動改札機１００の制御部１５２は、管理サーバ２００により送信された媒体設定情報２２４を取得し、取得した媒体設定情報２２４を改札機側記憶部１６０に媒体設定情報１６６として記憶させる。券売機３０が、媒体ＩＤに優先フラグを対応付けて、管理サーバ２００に送信する処理は「媒体に所定のフラグを付与する」ことの一例である。この処理により、サーバ側記憶部２２０または自動改札機１００の改札機側記憶部１６０に媒体ＩＤと優先フラグとが対応付けられた情報が記憶されるためである。
【００５７】
図１３は、媒体設定情報１６６（２２４）の一例を示す図である。媒体設定情報１６６は、第１の実施形態の表示情報１６４に加え、更に媒体ＩＤに対して、優先フラグの設定の有無が記憶された情報である。
【００５８】
図１４は、第２の実施形態の券売機３０と管理サーバ２００とにより実行される処理の流れを示すフローチャートである。まず、券売機３０は、媒体Ｍが券売機３０の内部に挿入されるまで待機する（ステップＳ３００）。次に、券売機３０は、媒体Ｍを券売機３０の内部に取り込む（ステップＳ３０２）。媒体Ｍが券売機３０の内部に取り込まれると、読取書込部４４が、媒体Ｍに記憶された媒体ＩＤを読取る（ステップＳ３０４）。
【００５９】
次に、券売機側表示制御部６２は、優先フラグを設定するための選択画面を表示部３４に表示させる（ステップＳ３０６）。次に、券売機側表示制御部６２は、優先フラグの設定について、利用者によって受付部３３に対して入力操作が実行されたか否かを判定する（ステップＳ３０８）。
【００６０】
優先フラグの設定について、入力操作が実行された場合、券売機側表示制御部６２は、優先フラグと、媒体ＩＤとを対応付けて、一時的に券売機側記憶部７０に記憶させる（ステップＳ３１０）。次に、券売機側表示制御部６２が、改札処理時に表示させる情報を設定するか否かを問い合わせる問合せ画像を表示部３４に表示させ、利用者によって改札処理時に表示させる情報を設定することについて、受付部３３に対して入力操作が実行されたか否かを判定する（ステップＳ３１２）。改札処理時に表示させる情報を設定することについて入力操作が実行されなかった場合、ステップＳ３１８の処理に進む。
【００６１】
改札処理時に表示させる情報を設定することについて入力操作が実行された場合、券売機側表示制御部６２が、改札処理時に表示させる情報の設定画面を表示部３４に表示させる（ステップＳ３１４）。次に、発行制御部６４が、利用者の入力操作によって設定された改札処理時に表示させる情報を媒体ＩＤに対応付けて、一時的に券売機側記憶部７０に記憶させ（ステップＳ３１６）、ステップＳ３１０およびステップＳ３１６で一時的に券売機側記憶部７０に記憶させた情報を、管理サーバ２００に送信する（ステップＳ３１８）。発行制御部６４は、「付与部」の一例である。
【００６２】
次に、管理サーバ２００の制御部２１０が、ステップＳ３１８で送信された情報をサーバ側記憶部２２０に媒体設定情報２２４として記憶させる（ステップＳ４００）。次に、制御部２１０が、ステップＳ３１８で送信された情報をサーバ側記憶部２２０に媒体設定情報２２４として記憶させると、情報の記憶が完了したことを示す完了情報を券売機３０に送信する（ステップＳ４０２）。
【００６３】
そして、券売機３０は、完了情報を管理サーバ２００から受信すると、媒体搬送機構を駆動させ、内部に取り込んでいる媒体Ｍを券売機３０の媒体挿入排出口３８から排出させる（ステップＳ３２０）。これにより本フローチャートの１ルーチンの処理は終了する。
【００６４】
上述した処理によって、管理サーバ２００は、媒体ＩＤに対応付けられた優先フラグと、改札処理時に表示させる情報とを取得し、取得した情報をサーバ側記憶部２２０に媒体設定情報２２４として記憶する。管理サーバ２００は、媒体設定情報２２４を駅サーバ２０に送信する。そして、駅サーバ２０は、自動改札機１００に取得した媒体設定情報２２４を送信する。これにより、自動改札機１００は、媒体設定情報２２４を取得し、取得した媒体設定情報２２４を媒体設定情報１６６として改札機側記憶部１６０に記憶させる。
【００６５】
図１５は、自動改札機１００により実行される処理の流れを示すフローチャートである。まず、自動改札機１００が、媒体Ｍがリーダライタ１３０に翳されるまで待機する（ステップＳ５００）。
【００６６】
媒体Ｍがリーダライタ１３０に翳された場合、制御部１５２は、複数枚の媒体Ｍが通信部１３４によって検知されたか否かを判定する（ステップＳ５０２）。複数枚の媒体Ｍが検知されなかった場合（媒体Ｍが１枚検知された場合）、リーダライタ１３０は、媒体Ｍに記憶された媒体ＩＤおよび効力情報を取得し（ステップＳ５０４）、ステップＳ５１２に進む。
【００６７】
複数枚の媒体Ｍが検知された場合、制御部１５２が、複数の媒体Ｍの媒体ＩＤを取得する（ステップＳ５０６）。次に、制御部１５２は、媒体設定情報１６６を参照して、ステップＳ５０６で取得した媒体ＩＤに対して優先フラグが設定されている否かを判定する（ステップＳ５０８）。優先フラグが設定されている媒体Ｍが存在しない場合、或いは複数枚の媒体Ｍに優先フラグが設定されている場合、ステップＳ５１４に進む。
【００６８】
優先フラグが設定されている媒体Ｍが１枚存在する場合、制御部１５２は、優先フラグが設定されている媒体Ｍから効力情報を取得する（ステップＳ５１０）。
【００６９】
次に、判定部１５４が、ステップＳ５０４またはステップＳ５１０で取得した効力情報に基づいて、利用者が自動改札機１００を通過できるか否かを判定する（ステップＳ５１２）。利用者が自動改札機１００を通過できない場合、通過制御部１５６が、扉を閉止状態にして利用者の通過を不許可する（ステップＳ５１４）。利用者が自動改札機１００を通過できる場合、通過制御部１５６が、扉を開放状態にして利用者の通過を許可する（ステップＳ５１６）。
【００７０】
次に、制御部１５２が、改札機側記憶部１６０に記憶された表示情報１６４を参照して、ステップＳ５１２で判定対象とした媒体Ｍの媒体ＩＤに対して表示情報１６４が記憶されているか否かを判定する（ステップＳ５１８）。
【００７１】
媒体Ｍの媒体ＩＤに対して表示情報１６４が記憶さている場合、制御部１５２は、その表示情報１６４に基づく情報を第２表示部１１２に表示させる（ステップＳ５２０）。媒体Ｍの媒体ＩＤに対して表示情報１６４が記憶さていない場合、あるいはステップＳ５２０の処理後に、本フローチャートの１ルーチンの処理は終了する。
【００７２】
例えば、記憶部１６に情報が書き込めない媒体Ｍである場合、上述したように媒体ＩＤに対して優先フラグを設定することにより、自動改札機１００は、優先して処理する媒体Ｍを判別することができる。より具体的には、媒体Ｍが高いセキュリティ性が必要な媒体（例えば乗車券としての機能に加え、クレジットカード機能を有する媒体）である場合、媒体Ｍの記憶部１６に対して、情報を書き込めない場合がある。本実施形態の駅務システム１は、このような媒体Ｍに対して、上述した処理を行うことによって、優先する媒体Ｍに対して改札処理を実行することができる。
【００７３】
以上説明した第２の実施形態によれば、駅務システム１の自動改札機１００は、改札機側記憶部１６０に記憶された媒体設定情報１６６を参照して、優先して処理する媒体Ｍに対して改札処理を実行することにより、第１の実施形態の効果と同様の効果を奏することができる。
【００７４】
（第３の実施形態）
以下、第３の実施形態に駅務システム１について説明する。第３の実施形態の駅務システム１は、第１の実施形態および第２の実施形態の機能を有すると共に、自動改札機１００は、管理サーバ２００に、媒体Ｍに優先フラグが設定されているか、表示情報が記憶されているか否かを問い合わせ、問い合わせ結果に基づいて、改札処理を実行する。以下では、係る相違点を中心に説明し、共通する部分についての説明は省略する。
【００７５】
自動改札機１００の制御部１５２は、媒体ＩＤに対して、優先フラグが設定されているか否か、表示情報が記憶されているか否かを管理サーバ２００に問い合わせる。管理サーバ２００は、自動改札機１００の問い合わせに対して、サーバ側記憶部２２０に記憶された情報を参照して、媒体ＩＤに対して、優先フラグが設定されているか否か、表示情報が記憶されているか否かを判定し、判定結果を自動改札機１００に送信する。なお、本実施形態では、管理サーバ２００のサーバ側記憶部２２０に、サーバ側表示情報２２２または媒体設定情報２２４が記憶されていればよく、自動改札機１００の改札機側記憶部１６０に表示情報１６４または媒体設定情報１６６が記憶されることが省略されてもよい。
【００７６】
図１６は、自動改札機１００により実行される処理の流れを示すフローチャートである。まず、自動改札機１００が、媒体Ｍがリーダライタ１３０に翳されるまで待機する（ステップＳ６００）。
【００７７】
媒体Ｍがリーダライタ１３０に翳された場合、制御部１５２は、複数枚の媒体Ｍが通信部１３４によって検知されたか判定する（ステップＳ６０２）。複数枚の媒体Ｍが検知されなかった場合（媒体Ｍが１枚検知された場合）、リーダライタ１３０は、媒体Ｍに記憶された媒体ＩＤおよび効力情報を取得し（ステップＳ６０４）、ステップＳ６１８に進む。
【００７８】
複数枚の媒体Ｍが検知された場合、制御部１５２が、リーダライタ１３０に読取られた媒体Ｍの情報を取得し（ステップＳ６０６）、優先フラグが設定されているか否かを判定する（ステップＳ６０８）。優先フラグが設定されている場合、優先フラグが設定されていることを媒体ＩＤに対して対応付けて、改札機側記憶部１６０に一時的に記憶させる（ステップＳ６１０）。次に、制御部１５２が、管理サーバ２００に、優先フラグが設定されていない媒体Ｍの媒体ＩＤに対して優先フラグが設定されている否かを問い合わせる（ステップＳ６１２）。
【００７９】
管理サーバ２００の制御部２１０が、自動改札機１００から優先フラグが設定されている否かの問い合わせを受けると、サーバ側記憶部２２０の媒体設定情報２２４を参照し、媒体ＩＤに対して、優先フラグが設定されているか否かを判定し、判定結果を自動改札機１００に送信する（ステップＳ７００）。
【００８０】
自動改札機１００の制御部１５２は、管理サーバ２００から判定結果を取得し、取得した判定結果と、ステップＳ６１０で一時的に記憶させた情報に基づいて、優先フラグが設定されている媒体Ｍが存在しない、或いは複数枚の媒体Ｍに優先フラグが設定されているか否かを判定する（ステップＳ６１４）。優先フラグが設定されている媒体Ｍが存在しない場合、或いは複数枚の媒体Ｍに優先フラグが設定されている場合、ステップＳ６２０に進む。優先フラグが設定されている媒体Ｍが１枚存在する場合、制御部１５２は、優先フラグが設定されている媒体Ｍから効力情報を取得する（ステップＳ６１６）。
【００８１】
次に、判定部１５４が、ステップＳ６０４またはステップＳ６１６で取得した効力情報に基づいて、利用者が自動改札機１００を通過できるか否かを判定する（ステップＳ６１８）。利用者が自動改札機１００を通過できない場合、通過制御部１５６が、扉を閉止状態にして利用者の通過を不許可する（ステップＳ６２０）。利用者が自動改札機１００を通過できる場合、通過制御部１５６が、扉を開放状態にして利用者の通過を許可する（ステップＳ６２２）。
【００８２】
次に、制御部１５２が、管理サーバ２００に、ステップＳ６１８で判定対象とされた媒体Ｍの媒体ＩＤに対して、表示情報が対応付けられているか否かを問い合わせる（ステップＳ６２４）。次に、管理サーバ２００の制御部２１０は、自動改札機１００から問い合わせを受けると、サーバ側記憶部２２０に記憶された媒体設定情報２２４を参照して、媒体Ｍの媒体ＩＤに対してサーバ側表示情報２２２が記憶されているか否かを判定し、判定結果を自動改札機１００に送信する（ステップＳ７０２）。
【００８３】
次に、自動改札機１００は、管理サーバ２００から判定結果を取得し、取得した判定結果に基づいて、媒体ＩＤに対して表示情報が設定されているか否かを判定する（ステップＳ６２６）。媒体ＩＤに対して表示情報が対応付けられている場合、制御部１５２は、その表示情を第２表示部１１２に表示させる（ステップＳ６２８）。媒体Ｍの媒体ＩＤに対して表示情報が記憶さていない場合、あるいはステップＳ６２８の処理後に、本フローチャートの１ルーチンの処理は終了する。
【００８４】
上述したように、本実施形態の駅務システム１は、媒体Ｍの記憶部１６に優先フラグを設定することができる媒体Ｍと、高いセキュリティ性が必要な媒体Ｍ（例えば乗車券としての機能に加え、クレジットカード機能を有する媒体）とが混在して利用されている環境であっても、優先フラグが付与された媒体Ｍを抽出し、抽出した媒体Ｍに対して改札処理を行うことができる。
【００８５】
以上説明した第３の実施形態によれば、駅務システム１は、第１および第２の実施形態が有する機能を有するため、媒体Ｍの記憶部１６、または管理サーバ２００のサーバ側記憶部２２０に記憶された媒体設定情報２２４を参照することで、媒体Ｍに対して優先フラグが付与されているか否かを判定することができ、第１および第２の実施形態が奏する効果と同様の効果を奏する。
【００８６】
なお、上述した実施形態では、表示情報および媒体設定情報は、改札機側記憶部１６０またはサーバ側記憶部２２０に記憶されることに代えて（加えて）、駅サーバ２０が有する記憶部に記憶されていてもよい。この場合、駅サーバ２０が有する記憶部は、「記憶部」の他の一例である。
【００８７】
また、上述した実施形態では、優先フラグまたは第２表示部１１２に表示される表示情報は、券売機３０を介して設定されるものとして説明したが、これらの情報は、係員端末により設定されてもよい。係員端末は、駅に設置された自動改札機とは異なる箇所、例えば駅構内と駅構外とを接続する空間に設置される端末である。係員は、例えば、係員端末が設置された空間に滞在し、乗車券に対して精算処理を行う場合に係員端末を操作する。係員端末は、例えば、券売機３０が有する読取書込部４４、媒体処理部４６、券売機側制御部６０、通信部６６と同等の機能を有する。係員端末は、「駅務機器」の他の一例である。
【００８８】
以上説明した少なくともひとつの実施形態によれば、媒体Ｍに対して優先フラグを付与する券売機３０と、媒体Ｍから情報を読取るリーダライタ１３０、およびリーダライタ１３０により読取られた情報に基づいて改札処理を実行する制御装置１５０であって、リーダライタ１３０により複数の媒体Ｍから情報が読み取られた場合、券売機３０により付与された優先フラグが付与された媒体Ｍに対して、改札処理を実行する制御装置１５０を有する自動改札機１００とを備える駅務システム１を持つことにより、利用者の意図した媒体に対して処理を行うことができる。
【００８９】
上記説明した実施形態は、以下のように表現することができる。
アンテナを有し、前記アンテナを用いて無線通信機能を有する媒体と通信することで、前記媒体の記憶部に所定のフラグを電磁的手法により書き込む駅務機器と、
アンテナを有し、前記アンテナを用いて前記媒体と通信することで前記媒体から前記記憶部に記憶された情報を電磁的手法により読取る読取部、および
前記読取部により読取られた情報に基づいて改札処理を実行する改札処理部であって、前記読取部が複数の媒体と通信することによって、前記複数の媒体から情報が読み取られた場合、前記駅務機器により付与された所定のフラグが記憶部に記憶された媒体に対して、前記改札処理を実行する前記改札処理部、
を有する自動改札機と、
を備える駅務システム。
【００９０】
上記説明した実施形態は、以下のように表現することができる。
アンテナを有し、前記アンテナを用いて無線通信機能を有する媒体と通信することで、前記媒体の媒体記憶部に電磁的手法により書き込まれた媒体識別情報を取得し、取得した媒体識別情報に対して所定のフラグを対応付け、前記媒体識別情報および所定のフラグを含む対応情報を、記憶部に記憶させる駅務機器と、
アンテナを有し、前記アンテナを用いて前記媒体と通信することで前記媒体から前記媒体記憶部に記憶された情報を読取る読取部、および
前記読取部により読取られた情報に基づいて改札処理を実行する改札処理部であって、前記読取部が複数の媒体と通信することによって、前記複数の媒体から情報が読み取られた場合、前記複数の媒体から媒体識別情報を取得し、前記記憶部に記憶された対応情報を参照して、所定のフラグが対応付けられている媒体識別情報を有する媒体に対して、前記改札処理を実行する前記改札処理部、
を有する自動改札機と、
を備える駅務システム。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
１…駅務システム、３０…券売機、３２…タッチパネル部、３３…受付部、３４…表示部
４４…読取書込部、４６…媒体処理部、４８…乗車券発行部、６０…券売機側制御部、７０…券売機側記憶部、１００…自動改札機、１１０…第１表示部、１１２…第２表示部、１２０…扉部、１３０…リーダライタ、１５０…制御装置、１５２…制御部、１５４…判定部、１５６…通過制御部、１６０…改札機側記憶部、１６４…表示情報、１６６…媒体設定情報、２００…管理サーバ、２１０…制御部、２２０…サーバ側記憶部、２２２…サーバ側表示情報、２２４…媒体設定情報、２３０…通信部
【図１】
2018045627.tif 000003
【図２】
2018045627.tif 000004
【図３】
2018045627.tif 000005
【図４】
2018045627.tif 000006
【図５】
2018045627.tif 000007
【図６】
2018045627.tif 000008
【図７】
2018045627.tif 000009
【図８】
2018045627.tif 000010
【図９】
2018045627.tif 000011
【図１０】
2018045627.tif 000012
【図１１】
2018045627.tif 000013
【図１２】
2018045627.tif 000014
【図１３】
2018045627.tif 000015
【図１４】
2018045627.tif 000016
【図１５】
2018045627.tif 000017
【図１６】
2018045627.tif 000018